(57)【要約】  照明装置（１）は、略球形又は多面体の外形を有する筐体（７１）と、筐体（７１）の外面側に配置され、当該照明装置（１）の外方に向けて光を出射する発光素子（１１）を有する複数の光源部（１０）と、複数の光源部（１０）を制御する制御部（２０）とを備え、筐体（７１）には、制御部（２０）が配置される内部空間（７１ａ）と、当該照明装置（１）の外部の気体を内部空間（７１ａ）に流入させるための第一の流入孔（９１ａ）と、内部空間（７１ａ）から気体を流出させるための第一の流出孔（９１ｂ）とが設けられており、複数の光源部（１０）は、第一の流入孔（９１ａ）に対応する位置に存在する第二の流入孔（９２ａ）が設けられた第一の光源部（１０Ｘ）と、第一の流出孔（９１ｂ）に対応する位置に存在する第二の流出孔（９２ｂ）が設けられた第二の光源部（１０Ｙ）とを含む。
2020145052.tif 000002
【特許請求の範囲】
【請求項１】
照明装置であって、
略球形又は多面体の外形を有する筐体と、
前記筐体の外面側に配置され、当該照明装置の外方に向けて光を出射する発光素子を有する複数の光源部と、
前記複数の光源部を制御する制御部とを備え、
前記筐体には、前記制御部が配置される内部空間と、当該照明装置の外部の気体を前記内部空間に流入させるための第一の流入孔と、前記内部空間から気体を流出させるための第一の流出孔とが設けられており、
前記複数の光源部は、前記第一の流入孔に対応する位置に存在する第二の流入孔が設けられた第一の光源部と、前記第一の流出孔に対応する位置に存在する第二の流出孔が設けられた第二の光源部とを含む、
照明装置。
【請求項２】
前記筐体と前記複数の光源部とは、一定の間隔をあけて配置されている、
請求項１に記載の照明装置。
【請求項３】
さらに、前記内部空間に配置された、少なくとも１つ以上のファンを備える、
請求項１又は２に記載の照明装置。
【請求項４】
前記ファンは、前記第一の流入孔及び前記第一の流出孔の少なくともいずれか一つに対応する位置に配置されている、
請求項３に記載の照明装置。
【請求項５】
前記ファンは、複数配置されており、
前記複数のファンは、前記第一の流入孔に対応する位置に配置された吸引ファンと、前記第一の流出孔に対応する位置に配置された排気ファンとを含む、
請求項３に記載の照明装置。
【請求項６】
前記第二の流入孔の貫通方向から見たときに、前記第一の流入孔と前記第二の流入孔とは、少なくとも一部が重なっている、
請求項１〜５のいずれか１項に記載の照明装置。
【請求項７】
前記第二の流出孔の貫通方向から見たときに、前記第一の流出孔と前記第二の流出孔とは、少なくとも一部が重なっている、
請求項１〜６のいずれか１項に記載の照明装置。
【請求項８】
前記第二の流入孔の貫通方向から見たときに、前記第一の流入孔と前記第二の流入孔とは、互いに重ならない位置に配置されている、
請求項１〜５のいずれか１項に記載の照明装置。
【請求項９】
前記第二の流出孔の貫通方向から見たときに、前記第一の流出孔と前記第二の流入孔とは、互いに重ならない位置に配置されている、
請求項１〜５、８のいずれか１項に記載の照明装置。
【請求項１０】
前記第一の光源部は、第一の基板と、前記第一の基板に配置された第一の発光素子とを有し、
前記第二の光源部は、第二の基板と、前記第二の基板に配置された第二の発光素子とを有し、
前記第二の流入孔は、前記第一の基板に設けられており、
前記第二の流出孔は、前記第二の基板に設けられている、
請求項１〜９のいずれか１項に記載の照明装置。
【請求項１１】
前記複数の光源部は、さらに、第三の光源部を含み、
前記第三の光源部は、第三の基板と、前記第三の基板に配置された第三の発光素子とを有し、
前記第三の基板には、前記第二の流入孔及び前記第二の流出孔が設けられておらず、
前記第三の基板は、前記第一の流入孔及び前記第一の流出孔の少なくとも一方に対向している、
請求項１０に記載の照明装置。
【請求項１２】
さらに、前記複数の光源部の各々を発光させるための駆動電力を生成する電源を備え、
前記電源は、前記内部空間に配置されている、
請求項１〜１１のいずれか１項に記載の照明装置。
【請求項１３】
前記発光素子は、２色以上の光を出射する、
請求項１〜１２のいずれか１項に記載の照明装置。
【請求項１４】
前記複数の光源部の各々は、前記発光素子を複数有する、
請求項１〜１３のいずれか１項に記載の照明装置。
【請求項１５】
請求項１〜１４のいずれか１項に記載の照明装置と、
前記照明装置を制御する制御端末とを備える、
照明システム。
【発明の詳細な説明】
【技術分野】
【０００１】
本発明は、照明装置及び照明システムに関し、特に、発光ダイオード（ＬＥＤ：Ｌｉｇｈｔ  Ｅｍｉｔｔｉｎｇ  Ｄｉｏｄｅ）等の発光素子を有する照明装置及び照明装置を備える照明システムに関する。
【背景技術】
【０００２】
３６０°の全方位に光を照射することができる照明装置が提案されている。この種の照明装置として、例えば、特許文献１には、多面体を構成する複数の面の各々にＬＥＤチップが配置された構成のＬＥＤ光源装置が開示されている。
【先行技術文献】
【特許文献】
【０００３】
【特許文献１】特開２０１３−１４３３９７号公報
【発明の概要】
【発明が解決しようとする課題】
【０００４】
３６０°の全方位に光を照射することができる照明装置では、照明装置の全体にわたって複数の発光素子が配置されている。例えば、多面体を構成する複数の面の各々に、発光素子を有する光源部を配置することが考えられる。このような照明装置では、複数の光源部を制御するために、照明装置の内部空間に制御部を配置することが考えられる。【０００５】
しかしながら、このような構成では、熱源となる複数の光源部（発光素子）によって制御部が囲まれてしまうので、制御部が配置された内部空間に熱がこもる。この結果、熱によって制御部が誤作動したり故障したりする等の不具合が生じるおそれがある。【０００６】
本発明は、このような課題を解決するためになされたものであり、複数の光源部を制御する制御部が熱によって誤作動したり故障したりする等して制御部に不具合が生じることを抑制できる照明装置及び照明システムを提供することを目的とする。
【課題を解決するための手段】
【０００７】
上記目的を達成するために、本発明に係る照明装置の一態様は、略球形又は多面体の外形を有する筐体と、前記筐体の外面側に配置され、当該照明装置の外方に向けて光を出射する発光素子を有する複数の光源部と、前記複数の光源部を制御する制御部とを備え、前記筐体には、前記制御部が配置される内部空間と、当該照明装置の外部の気体を前記内部空間に流入させるための第一の流入孔と、前記内部空間から気体を流出させるための第一の流出孔とが設けられており、前記複数の光源部は、前記第一の流入孔に対応する位置に存在する第二の流入孔が設けられた第一の光源部と、前記第一の流出孔に対応する位置に存在する第二の流出孔が設けられた第二の光源部とを含む。【０００８】
また、本発明に係る照明システムの一態様は、上記の照明装置と、前記照明装置を制御する制御端末とを備える。
【発明の効果】
【０００９】
複数の光源部を制御する制御部が熱によって誤作動したり故障したりする等して制御部に不具合が生じることを抑制できる。
【図面の簡単な説明】
【００１０】
【図１】図１は、実施の形態に係る照明システムの概要の一例を示す図である。
【図２】図２は、実施の形態に係る照明システムの構成を示すブロック図である。
【図３】図３は、実施の形態に係る照明装置の外観図である。
【図４】図４は、図３に示す照明装置において、外装の一部を外した状態を示す図である。
【図５】図５は、図３に示す照明装置において、外装及び光源部を外した状態を示す図である。
【図６】図６は、図３に示す照明装置において、外装、光源部及び支持体を外した状態を示す図である。
【図７】図７は、図３に示す照明装置において、外装、光源部、支持体及び筐体を外した状態を示す図である。
【図８】図８は、実施の形態に係る照明装置の断面を模式的に示す図である。
【図９】図９は、変形例１に係る照明装置の断面を模式的に示す図である。
【図１０】図１０は、変形例２に係る照明装置の外観図である。
【発明を実施するための形態】
【００１１】
以下、本発明の実施の形態について説明する。なお、以下に説明する実施の形態は、いずれも本発明の一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。なお、各図において、実質的に同一の構成に対しては同一の符号を付しており、重複する説明は省略又は簡略化する。
【００１３】
（実施の形態）
［照明システム］
まず、実施の形態に係る照明システム３の概要の一例について、図１を用いて説明する。図１は、実施の形態に係る照明システム３の概要の一例を示す図である。
【００１４】
図１に示すように、照明システム３は、照明装置１と制御端末２とによって構成されている。
【００１５】
照明装置１は、例えば建物の室内の天井に設置される。照明装置１は、３６０°の全方位に光を照射することができる照明器具であり、複数の発光素子１１を有する。複数の発光素子１１は、照明装置１の全体にわたって配置されている。照明装置１の外形は、例えば、略球形又は多面体である。
【００１６】
照明装置１は、複数の発光素子１１を選択的に発光させることで、照明装置１を中心として任意の方向に光を照射することができる。つまり、照明装置１から出射する光の照明方向（ライティング方向）は、任意である。例えば、照明装置１は、全ての発光素子１１を同時に発光させることで３６０°の全方位に光を照射したり、複数の発光素子１１のうちの一部の発光素子１１を発光させることで一部の方向のみに光を照射したりすることができる。つまり、照明装置１は、３６０°全方位ライトとして機能させるだけではなく、スポットライトとして機能させることもできる。
【００１７】
図１では、照明装置１をスポットライトとして機能させており、主に壁面のみに光が照射されるように複数の発光素子１１を選択的に発光させている。この場合、図１では、壁面での照射領域の形状が矩形状となるように複数の発光素子１１を選択的に発光させているが、これに限らない。例えば、壁面における照明装置１の照射領域の形状は、略円形又は略楕円形等であってもよい。
【００１８】
また、照明装置１は、調光制御機能及び調色制御機能を有する。具体的には、照明装置１は、照明装置１が出射する光について、明るさ、及び、色温度又はカラー等の光色を変更することができる。本実施の形態において、照明装置１は、複数の発光素子１１ごとに、光の明るさ及び光色を変更することができる。
【００１９】
制御端末２は、照明装置１を制御する装置である。例えば、制御端末２は、ユーザが操作するスマートフォン又はタブレット型端末等の携帯端末である。なお、制御端末２は、携帯端末に限らず、デスクトップ型のパーソナルコンピュータ等のように据え置き型の端末であってもよい。また、制御端末２は、照明装置１以外の他の機器も操作できる端末であってもよいし、照明装置１のみを操作する専用のリモコン等の端末であってもよい。
【００２０】
このように構成される照明システム３では、ユーザが制御端末２を操作することで、照明装置１から出射する光について、点消灯、照明方向、明るさ又は光色等の照明態様を制御することができる。具体的には、ユーザが制御端末２を操作することで、複数の発光素子１１の各々について、点消灯、明るさ又は光色等の発光態様を制御することができる。これにより、照明装置１の照明態様を変化することができる。なお、各発光素子１１の発光態様としては、これらに限らず、点滅等の発光パターンが含まれていてもよい。
【００２１】
例えば、照明装置１から出射する光の照明方向を制御する場合、ユーザは、制御端末２を操作して、照明装置１の光の照射方向を指定する。これにより、制御端末２は、指定された照射方向を含む情報を照明装置１に送信する。照明装置１は、全ての発光素子１１の中から、指定された照射方向に照明可能な発光素子１１を１つ以上選択し、これらの発光素子１１を発光させる。
【００２２】
また、本実施の形態における照明装置１は、壁面等の周囲空間に、ムラなくフルカラーで光を照射することができる。このため、各発光素子１１としては、後述するように、ＲＧＢの３色光源を用いている。また、複数の発光素子１１は、高い密度でムラなく均等に分散して配置されている。これにより、照明装置１が照射する光を制御することによって、照明装置１が設置された空間の演出を行うことができる。
【００２３】
次に、実施の形態に係る照明システム３における照明装置１及び制御端末２の具体的な機能構成について、図２を用いて説明する。図２は、実施の形態１に係る照明システム３の機能構成を示すブロック図である。
【００２４】
まず、本実施の形態における照明装置１の構成について説明する。図２に示すように、照明装置１は、複数の光源部１０と、制御部２０と、ファン３０と、通信部４０と、記憶部５０と、電源６０とを有する。
【００２５】
複数の光源部１０の各々は、少なくとも１つの発光素子１１を有する。つまり、照明装置１は、複数の発光素子１１を有する。本実施の形態において、各光源部１０は、複数の発光素子１１を有する。複数の発光素子１１は、制御部２０からの照明制御信号（発光指示）にしたがって所定の発光態様で発光する。詳細は後述するが、各発光素子１１は、ＬＥＤによって構成されたＬＥＤ光源である。なお、複数の発光素子１１は、各発光素子１１を区別するために、シリアル番号としてＬＥＤ番号が割り当てられている。
【００２６】
制御部２０は、照明装置１の各部の制御を行う制御回路である。制御部２０は、例えば、プロセッサが記憶部５０に保持されたプログラムを実行することで、各種制御を行う。プロセッサは、ＭＰＵ（Ｍｉｃｒｏ  ｐｒｏｃｅｓｓｉｎｇ  Ｕｎｉｔ）、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃａｌ  Ｐｒｏｃｅｓｓｉｎｇ  Ｕｎｉｔ）、又は、ＳＯＣ（Ｓｙｓｔｅｍ  ｏｎ  ａ  ｃｈｉｐ）等によって構成されている。
【００２７】
本実施の形態において、制御部２０は、複数の光源部１０を制御する光源制御部を含む。具体的には、制御部２０は、各光源部１０に含まれる発光素子１１の発光態様を制御する。本実施の形態において、制御部２０は、照明装置１に含まれる全ての発光素子１１の発光態様を個別に制御することができる。具体的には、制御部２０は、制御端末２から通信部４０で受信した照明制御信号にしたがって各発光素子１１の発光態様を個別に制御する。例えば、制御部２０は、全ての発光素子１１が出射する光について、点消灯（点灯、消灯）を制御したり明るさを変えたり光色を変えたりする。
【００２８】
ファン３０は、照明装置１の内部を空冷する送風ファンである。詳細は後述するが、照明装置１には複数の通気孔が設けられており、ファン３０を駆動させることで、複数の通気孔のうちの一の通気孔から外気を内部に取り込んで他の通気孔から熱気を排気する。ファン３０は、発光素子１１の点灯及び消灯に連動して自動でＯＮ／ＯＦＦするように構成されていてもよいし、制御端末２の操作によってＯＮ／ＯＦＦの制御が行えるように構成されていてもよいし、これらの両方の機能を有するように構成されていてもよい。
【００２９】
通信部４０は、制御端末２との通信を行う機能を有する。具体的には、通信部４０は、照明装置１の光の照明態様を制御するための照明制御信号を制御端末２から受信する。通信部４０で受信した照明制御信号は、制御部２０に出力される。通信部４０による通信方式は、例えば、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、電力線通信、赤外線通信、近距離無線通信（例えばＢｌｕｅｔｏｏｔｈ（登録商標）通信）、又は、携帯電話用のモバイル通信等の通信方式である。
【００３０】
記憶部５０は、制御部２０のワーキングメモリとして使用され得る。記憶部５０は、例えば、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等の一次記憶装置を含む。また、記憶部５０は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の二次記憶装置及び／又は光ディスクやＳＤカード等の三次記憶装置を含んでいてもよい。なお、記憶部５０は、その他の記憶装置を含んでいてもよい。記憶部５０は、各種データ、情報及びプログラム等を記憶する。
【００３１】
電源６０は、照明装置１の各部に電力を供給する機能を有する。電源６０は、例えば、プリント基板に複数の電子部品が実装された電源回路である。電源６０は、例えば、複数の光源部１０の各々を発光させるための駆動電力を生成する。具体的には、電源６０は、発光素子１１を発光させるための駆動電力を生成し、この駆動電力を各発光素子１１に供給する。例えば、差し込みプラグ等によって照明装置１が商用の交流電源に接続されると、電源６０は、交流電力を駆動電力に変換する。一例として、電源６０は、商用の交流電力を直流電力に変換し、この直流電力を発光素子１１を発光させるための駆動電力として各発光素子１１に供給する。これにより、発光素子１１が発光する。なお、電源６０は、ファン３０を駆動させるための駆動電力も生成する。
【００３２】
次に、本実施の形態における制御端末２の構成について説明する。図２に示すように、制御端末２は、制御部１１０と、ユーザインタフェース（ＵＩ）１２０と、通信部１３０と、記憶部１４０とを有する。
【００３３】
制御部１１０は、制御端末２の各部の制御を行う。制御部１１０は、例えば、プロセッサが記憶部１４０に保持されたプログラムを実行することで、各種制御を行う。プロセッサは、例えば、照明装置１の制御部２０と同様に、ＭＰＵ、ＣＰＵ、ＤＳＰ、ＧＰＵ又はＳＯＣ等によって構成されている。
【００３４】
本実施の形態において、制御部１１０は、ユーザインタフェース１２０で受け付けたユーザの指示を基に、照明装置１に送信する照明制御信号を生成する。この場合、制御部１１０は、照明制御信号として、照明装置１が照射する光の照明方向、明るさ、光色、照明パターン及び照明時間等に関する照明情報を含む信号を生成する。生成された照明制御信号は、通信部１３０に出力される。
【００３５】
ユーザインタフェース１２０は、ユーザの操作に応じて照明装置１の照明態様を入力する入力手段である。具体的には、ユーザインタフェース１２０は、照明装置１の照明態様として、ユーザによって指定される照明方向、照明光の明るさ、照明光の光色、照明パターン又は照明時間等に関する照明情報を受け付ける。ユーザインタフェース１２０は、例えば、操作部及び表示部としての機能を有するタッチパネルで構成される。タッチパネルには、ユーザによるタッチ操作に適したＧＵＩ（Ｇｒａｐｈｉｃａｌ  Ｕｓｅｒ  Ｉｎｔｅｒｆａｃｅ）画面が表示される。なお、ユーザインタフェースは、タッチパネルに限らず、表示部及び操作部を個々に有したものであってもよい。この場合、表示部は、液晶表示デバイス又は有機ＥＬデバイス等の表示デバイスであり、操作部は、マウス、キーボード、タッチパッド、タッチパネル又はマイクロホン等の入力デバイスである。
【００３６】
通信部１３０は、照明装置１との通信を行う機能を有する。具体的には、通信部１３０は、制御部１１０から照明制御信号を受信し、この照明制御信号を照明装置１に送信する。通信部１３０による通信方式は、照明装置１の通信部４０と同様に、例えば、ＷＡＮ、ＬＡＮ、電力線通信、赤外線通信、近距離無線通信（例えばＢｌｕｅｔｏｏｔｈ（登録商標）通信）、又は、携帯電話用のモバイル通信等の通信方式である。
【００３７】
記憶部１４０は、制御部１１０のワーキングメモリとして使用され得る。記憶部１４０は、例えば、ＲＡＭやＲＯＭ等の一次記憶装置を含む。また、記憶部１４０は、ＨＤＤやＳＳＤ等の二次記憶装置及び／又は光ディスクやＳＤカード等の三次記憶装置を含んでいてもよい。なお、記憶部１４０は、その他の記憶装置を含んでいてもよい。記憶部１４０は、各種データ、情報及びプログラム等を記憶する。また、記憶部１４０には、照明装置１の照明態様又は発光素子１１の発光態様が予め登録されていてもよい。
【００３８】
［照明装置の構造］
次に、実施の形態に係る照明装置１の具体的な構造について、図３〜図８を用いて説明する。図３は、実施の形態に係る照明装置１の外観図である。図４〜図７は、同照明装置１の内部の構成を示す図である。図８は、同照明装置１の断面を模式的に示す図である。なお、図４は、図３に示す照明装置１において、外装７３の一部を外した状態を示しており、図５は、図３に示す照明装置１において、外装７３及び光源部１０を外した状態を示しており、図６は、図３に示す照明装置１において、外装７３、光源部１０及び支持体７２を外した状態を示しており、図７は、図３に示す照明装置１において、外装７３、光源部１０、支持体７２及び筐体７１を外した状態を示している。
【００３９】
図３〜図８に示すように、照明装置１は、光源部１０と、制御部２０と、ファン３０と、構造体７０と、配線管８０とを備える。
【００４０】
構造体７０は、第一の構造体である筐体７１と、第二の構造体である支持体７２と、第三の構造体である外装７３とによって構成されている。筐体７１、支持体７２及び外装７３は、照明装置１の内側から外側に向かってこの順で配置されている。支持体７２は、筐体７１の全体を覆うように構成されており、外装７３は、支持体７２の全体を覆うように構成されている。本実施の形態において、筐体７１は、照明装置１の最も内側に位置する内郭筐体であり、外装７３は、照明装置１の最も外側に位置する外郭筐体である。
【００４１】
配線管８０は、外部電源から電源６０に電力を供給するための電線が挿通される筒状部材である。本実施の形態において、配線管８０は、外装７３の頂部に設けられており、照明装置１を天井に取り付けるための取付部材としても機能する。具体的には、照明装置１は、図１に示すように、配線管８０によって天井に吊り下げられた状態で設置されている。一例として、配線管８０は、金属製のパイプであるが、これに限らない。なお、配線管８０内には、照明装置１を天井に固定するためのワイヤ等が配置されていてもよい。
【００４２】
なお、通信部４０、記憶部５０及び電源６０は、図示されていないが、構造体７０内に配置されている。例えば、通信部４０、記憶部５０及び電源６０は、筐体７１の内部空間７１ａに配置されている。
【００４３】
図６に示すように、筐体７１は、略球形又は多面体の外形を有する。本実施の形態において、筐体７１は、多面体の外形を有する。つまり、筐体７１の外面は、複数の面によって構成されている。具体的には、筐体７１は、頂点が６０個の三十二面体の外形を有する。つまり、筐体７１の外面は、２０個の正六角形の平面と、１２個の正五角形の平面とによって構成されている。
【００４４】
図８に示すように、筐体７１には、内部空間７１ａが設けられている。つまり、筐体７１の内部は、中空である。内部空間７１ａには、制御部２０が配置されている。つまり、内部空間７１ａは、制御部２０を設置するための制御部設置空間である。本実施の形態において、内部空間７１ａには、ファン３０も配置されている。
【００４５】
図６及び図８に示すように、筐体７１には、第一の流入孔９１ａと、第一の流出孔９１ｂとが設けられている。第一の流入孔９１ａは、照明装置１の外部の気体を内部空間７１ａに流入させるための通気孔である。また、第一の流出孔９１ｂは、内部空間７１ａから気体を流出させるための通気孔である。
【００４６】
第一の流入孔９１ａ及び第一の流出孔９１ｂの各々は、例えば円形の開口を有する貫通孔である。なお、第一の流入孔９１ａ及び第一の流出孔９１ｂの開口形状は、円形に限らず、多角形等であってもよい。また、第一の流入孔９１ａ及び第一の流出孔９１ｂの開口面積は、互いに同じであるが、異なっていてもよい。
【００４７】
本実施の形態において、第一の流入孔９１ａ及び第一の流出孔９１ｂは、複数ずつ設けられている。第一の流入孔９１ａの数と第一の流出孔９１ｂの数とは、同じであってもよいが、異なっていてもよい。
【００４８】
また、図６に示すように、第一の流入孔９１ａ及び第一の流出孔９１ｂは、正六角形の面に設けられており、正五角形の面には、第一の流入孔９１ａ及び第一の流出孔９１ｂが設けられていない。具体的には、正六角形の面には、第一の流入孔９１ａ又は第一の流出孔９１ｂとして、１つのみの貫通孔が面の中央部に設けられている。なお、２０個の正六角形の全てに第一の流入孔９１ａ又は第一の流出孔９１ｂが設けられていてもよいが、２０個の正六角形のうちの一部の面に第一の流入孔９１ａ又は第一の流出孔９１ｂが設けられていてもよい。
【００４９】
また、筐体７１には、複数の棒状の突起１００が設けられている。突起１００は、筐体７１の複数の面の各々に複数ずつ設けられている。具体的には、正五角形の面には、５つの頂点付近の各々に突起１００が設けられており、正六角形の面には、６つの辺のうちの１つ置きの３つの辺の中央付近の各々に突起１００が設けられている。したがって、筐体７１には、１２０個の突起１００が筐体７１の全体にわたって設けられている。複数の突起１００が設けられた筐体７１は、ウニを模した形状となっている。
【００５０】
筐体７１は、例えば、樹脂材料によって構成されているが、これに限らない。また、本実施の形態において、複数の突起１００と筐体７１とは、一体的に構成されている。例えば、複数の突起１００と筐体７１とは、樹脂材料によって一体的に構成された樹脂成型品である。
【００５１】
図５に示すように、突起１００の上には、支持体７２が載置されている。本実施の形態において、支持体７２は、複数配置されている。具体的には、支持体７２は、筐体７１の多面体の外面を構成する複数の面の各々に対応して配置されている。より具体的には、支持体７２は、筐体７１の多面体の外面を構成する多角形の辺に沿った枠状の枠体を有する。したがって、支持体７２は、六角形の枠状の枠体を有する第一の部材と、五角形の枠状の枠体を有する第二の部材とによって構成されている。なお、本実施の形態において、複数の支持体７２は、分離されているが、連結されていてもよい。
【００５２】
図４に示すように、筐体７１の外面側には、複数の光源部１０が配置されている。つまり、複数の光源部１０は、筐体７１を構成する多面体の各面の上方に配置されている。本実施の形態において、複数の光源部１０は、筐体７１の外面全体を覆うように敷き詰められている。したがって、敷き詰められた複数の光源部１０によって、筐体７１と相似形状の多面体が構成されている。
【００５３】
また、図８に示すように、複数の光源部１０は、外装７３の内側に配置されている。したがって、複数の光源部１０は、筐体７１と外装７３との間に配置されている。具体的には、各光源部１０は、筐体７１の外側に配置された支持体７２と外装７３との間に配置されている。
【００５４】
本実施の形態において、筐体７１と複数の光源部１０とは、一定の間隔をあけて配置されている。具体的には、筐体７１には突起１００が設けられており、複数の光源部１０は、突起１００の上に配置されている。これにより、図８に示すように、複数の光源部１０と筐体７１の外面とを一定の間隔をあけて配置することができ、各光源部１０と筐体７１の外面との間には、空気層となる隙間Ｇが形成される。
【００５５】
具体的には、複数の光源部１０の各々は、支持体７２の上に配置されている。つまり、支持体７２は、光源部１０を支持している。支持体７２は、筐体７１と光源部１０との間のスペーサとしても機能している。複数の光源部１０と複数の支持体７２とは、一対一に対応している。
【００５６】
複数の光源部１０は、筐体７１の全体を覆うように配置されている。具体的には、複数の光源部１０は、支持体７２と同様に、筐体７１の多面体の外面を構成する複数の面の各々に対応して配置されている。したがって、本実施の形態では、３２個の光源部１０が配置されている。
【００５７】
複数の光源部１０の各々は、発光素子１１と、基板１２とを有する。したがって、照明装置１は、複数の発光素子１１と、複数の基板１２とを有する。
【００５８】
複数の発光素子１１は、照明装置１の全体にわたって配置されている。つまり、複数の発光素子１１は、筐体７１の外面全体を覆うように点在している。複数の発光素子１１の各々は、照明装置１の外方に向けて光を出射する。具体的には、各発光素子１１の光軸は、筐体７１の多面体の外面を構成する面及び外装７３の外面に対して垂直な方向である。したがって、各発光素子１１から出射する光の方向は、外装７３の外面に対して垂直な方向である。
【００５９】
各発光素子１１は、２色以上の光を出射することができる。本実施の形態において、各発光素子１１は、３色以上の光を出射する。具体的には、各発光素子１１は、ＲＧＢの３色光源であり、赤色光、青色光及び緑色光の３色の単色光を出射することができるとともに、これらの３色の単色光を調光することで得られるカラー光又は白色光を出射することができる。
【００６０】
具体的には、各発光素子１１は、ＬＥＤがパッケージ化された表面実装（ＳＭＤ：Ｓｕｒｆａｃｅ  Ｍｏｕｎｔ  Ｄｅｖｉｃｅ）型のＬＥＤ素子であり、容器（パッケージ）と、容器内に実装された複数のＬＥＤチップと、複数のＬＥＤチップを封止する封止部材とを有する。本実施の形態では、複数のＬＥＤチップとして、赤色光を発する赤色ＬＥＤチップと、青色光を発する青色ＬＥＤチップと、緑色光を発する緑色ＬＥＤチップとが実装されている。封止部材は、シリコーン樹脂等の透光性の絶縁性樹脂材料である。なお、封止部材には、シリカ等の光拡散材及びフィラー等が分散されていてもよい。
【００６１】
また、本実施の形態における照明装置１は、画像を表示するディスプレイとは異なり、壁面等の周囲空間を照らす必要があるため、発光素子１１としては高い光出力が必要となる。このため、発光素子１１の１個当たりの輝度は、液晶ディスプレイのバックライトで用いられるＬＥＤ光源に比べて高くなっている。
【００６２】
このように構成される発光素子１１は、基板１２に実装されている。本実施の形態では、１つの基板１２に複数の発光素子１１が実装されている。基板１２は、発光素子１１を実装するための実装面を有する実装基板である。なお、図示しないが、基板１２の実装面には金属配線及び給電用のコネクタ等が設けられている。
【００６３】
基板１２としては、例えば、アルミニウム又は銅等の金属材料からなる基材に絶縁被膜を施すことで得られるメタルベース基板、アルミナ等のセラミック材料の焼結体であるセラミックス基板、又は、樹脂材料をベースとする樹脂基板等が用いられる。本実施の形態では、基板１２として、金属配線が形成されたガラスエポキシ基板からなるプリント配線基板を用いている。なお、基板１２は、リジッド基板であるが、フレキシブル基板であってもよい。
【００６４】
また、図４に示すように、基板１２は、筐体７１の多面体の外面を構成する多角形の面に対応する形状を有する。本実施の形態では、基板１２として、平面視形状が正六角形のプリント配線基板と、平面視形状が正五角形のプリント配線基板とを用いている。そして、２０枚の正六角形の基板１２と１２枚の五角形の基板１２とを組み合わせることで、筐体７１と同様に三十二面体の多面体が構成される。
【００６５】
複数の発光素子１１は、照明装置１の全体において、高い密度でムラなく均等に分散して配置されている。このため、多面体の面の各々に対応する基板１２には、少なくとも２つ以上の発光素子１１が実装されているとよい。
【００６６】
本実施の形態において、正六角形の基板１２においては、正六角形の角部の各々に発光素子１１（合計６個）が実装されており、正五角形の基板１２においては、正五角形の各辺の中央部に発光素子１１（合計５個）が実装されている。したがって、照明装置１には、１８０個（＝２０枚×６個＋１２枚×５個）の発光素子１１が用いられている。
【００６７】
また、１つの基板１２に実装する複数の発光素子１１の間隔を均等にするだけではなく、隣り合う２つの基板１２についても、一方の基板１２の発光素子１１と他方の基板１２の発光素子１１との間隔も均等にするとよい。さらに、照明装置１の赤道付近に位置する発光素子１１と高緯度に位置する発光素子１１との密度についてもバランスが取れているとよい。
【００６８】
なお、六角形の基板１２と五角形の基板１２との表面の色を異ならせることで、六角形の基板１２と五角形の基板１２との配置が分かりやすくなる。本実施の形態では、六角形の基板１２については表面が赤色に着色され、五角形の基板１２については表面が青色に着色されている。
【００６９】
各基板１２は、筐体７１に固定されている。図４及び図８に示すように、各基板１２は、筐体７１に設けられた突起１００に取り付けられることで筐体７１に固定されている。具体的には、図６に示すように、各突起１００にはネジ穴が設けられており、また、図５に示すように、各支持体７２にはネジが挿通される貫通孔が設けられている。そして、各基板１２にもネジが挿通される貫通孔が設けられており、図８に示すように、基板１２のネジ穴及び支持体７２のネジ穴に挿入したネジを突起１００のネジ穴にねじ込むことで、基板１２及び支持体７２を突起１００にネジ止めすることができる。
【００７０】
図４及び図８に示すように、複数の光源部１０は、第二の流入孔９２ａが設けられた第一の光源部１０Ｘと、第二の流出孔９２ｂが設けられ第二の光源部１０Ｙと、第二の流入孔９２ａ及び第二の流出孔９２ｂが設けられていない第三の光源部１０Ｚとを含む。照明装置１は、第一の光源部１０Ｘと第二の光源部１０Ｙと第三の光源部１０Ｚとを複数ずつ備える。
【００７１】
図４に示すように、各第一の光源部１０Ｘは、第一の基板１２Ｘと、第一の基板１２Ｘに配置された第一の発光素子１１Ｘとを有しており、第二の流入孔９２ａは、第一の基板１２Ｘに設けられている。具体的には、各第一の基板１２Ｘにおいて、第二の流入孔９２ａは、第一の基板１２Ｘの中央部に１つ設けられており、複数の第一の発光素子１１Ｘは、第二の流入孔９２ａを囲むように配列されている。
【００７２】
また、各第二の光源部１０Ｙは、第二の基板１２Ｙと、第二の基板１２Ｙに配置された第二の発光素子１１Ｙとを有しており、第二の流出孔９２ｂは、第二の基板１２Ｙに設けられている。具体的には、各第二の基板１２Ｙにおいて、第二の流出孔９２ｂは、第二の基板１２Ｙの中央部に１つ設けられており、複数の第二の発光素子１１Ｙは、第二の流出孔９２ｂを囲むように配列されている。
【００７３】
第一の光源部１０Ｘにおける第一の基板１２Ｘと第二の光源部１０Ｙにおける第二の基板１２Ｙとは、六角形の基板１２である。つまり、第二の流入孔９２ａ及び第二の流出孔９２ｂは、正六角形の基板１２に設けられている。
【００７４】
また、第三の光源部１０Ｚは、第三の基板１２Ｚと、第三の基板１２Ｚに配置された第三の発光素子１１Ｚとを有している。第三の基板１２Ｚには、第二の流入孔９２ａ及び第二の流出孔９２ｂが設けられていない。
【００７５】
第三の光源部１０Ｚの第三の基板１２Ｚは、正五角形の基板１２である。つまり、正五角形の基板１２には、第二の流入孔９２ａ及び第二の流出孔９２ｂのいずれも設けられていない。ただし、正五角形の第三の基板１２Ｚの中央部には、支持体７２に設けられた凸部が挿入される挿通孔が設けられている。このように、支持体７２の凸部を第三の基板１２Ｚの挿通孔に設けることで、第三の基板１２Ｚの位置決めが容易になる。なお、第三の基板１２Ｚに設けられた挿通孔は、第一の基板１２Ｘに設けられた第二の流入孔９２ａ及び第二の基板１２Ｙに設けられた第二の流出孔９２ｂよりも開口径が小さい。
【００７６】
第一の基板１２Ｘに設けられた第二の流入孔９２ａは、筐体７１に設けられた第一の流入孔９１ａと同様に、照明装置１の外部の気体を筐体７１の内部空間７１ａに流入させるための通気孔である。
【００７７】
また、第二の光源部１０Ｙに設けられた第二の流出孔９２ｂは、筐体７１に設けられた第一の流出孔９１ｂと同様に、筐体７１の内部空間７１ａから気体を流出させるための通気孔である。
【００７８】
第二の流入孔９２ａ及び第二の流出孔９２ｂの各々は、例えば円形の開口を有する貫通孔であり、各基板１２の中央部に形成されている。なお、第二の流入孔９２ａ及び第二の流出孔９２ｂの開口形状は、円形に限らず、多角形等であってもよい。また、第二の流入孔９２ａ及び第二の流出孔９２ｂの開口面積は、互いに同じであるが、異なっていてもよい。
【００７９】
このように、光源部１０の基板１２の中央部には、第二の流入孔９２ａ又は第二の流出孔９２ｂとして、比較的に大きな開口径を有する通気孔が設けられている。これは、本実施の形態における照明装置１は、画像を表示するディスプレイとは異なり、高精細な情報を表示する必要がないため、基板１２に複数の発光素子１１を実装したとしても、基板１２における発光素子１１の密度が低いからである。
【００８０】
図８に示すように、第一の光源部１０Ｘに設けられた第二の流入孔９２ａは、筐体７１に設けられた第一の流入孔９１ａに対応する位置に存在している。第二の流入孔９２ａの貫通方向から見たときに、第一の流入孔９１ａと第二の流入孔９２ａとは、少なくとも一部が重なっている。本実施の形態では、第一の流入孔９１ａの開口径が第二の流入孔９２ａの開口径よりも大きくなっており、第二の流入孔９２ａの貫通方向から見たときに、第二の流入孔９２ａは、第一の流入孔９１ａの内側に収まるように位置している。なお、本実施の形態では、内側に位置する第一の流入孔９１ａの開口径の方が、外側に位置する第二の流入孔９２ａの開口径よりも大きくなっているが、これに限らず、外側に位置する第二の流入孔９２ａの開口径の方が、内側に位置する第一の流入孔９１ａの開口径よりも大きくなっていてもよいし、第一の流入孔９１ａの開口径と第二の流入孔９２ａの開口径とが同じであってもよい。
【００８１】
また、第二の光源部１０Ｙに設けられた第二の流出孔９２ｂは、筐体７１に設けられた第一の流出孔９１ｂに対応する位置に存在している。第二の流出孔９２ｂの貫通方向から見たときに、第一の流出孔９１ｂと第二の流出孔９２ｂとは、少なくとも一部が重なっている。本実施の形態では、第一の流出孔９１ｂの開口径が第二の流出孔９２ｂの開口径よりも大きくなっており、第二の流出孔９２ｂの貫通方向から見たときに、第二の流出孔９２ｂは、第一の流出孔９１ｂの内側に収まるように位置している。なお、本実施の形態では、内側に位置する第一の流出孔９１ｂの開口径の方が、外側に位置する第二の流出孔９２ｂの開口径よりも大きくなっているが、これに限らず、外側に位置する第二の流出孔９２ｂの方が、内側に位置する第一の流出孔９１ｂの開口径よりも大きくなっていてもよいし、第一の流出孔９１ｂの開口径と第二の流出孔９２ｂの開口径とが同じであってもよい。
【００８２】
第二の流入孔９２ａが設けられた第一の基板１２Ｘは、複数である。また、第二の流出孔９２ｂが設けられた第二の基板１２Ｙは、複数である。したがって、第二の流入孔９２ａ及び第二の流出孔９２ｂは、複数ずつ設けられている。なお、第二の流入孔９２ａの数と第二の流出孔９２ｂの数とは、同数であってもよいが、異なっていてもよい。
【００８３】
本実施の形態において、第一の光源部１０Ｘに設けられた第二の流入孔９２ａの数は、筐体７１に設けられた第一の流入孔９１ａの数と同じであるが、第二の流入孔９２ａの数は、第一の流入孔９１ａの数と異なっていてもよい。
【００８４】
同様に、第二の光源部１０Ｙに設けられた第二の流出孔９２ｂの数は、筐体７１に設けられた第一の流出孔９１ｂの数と同じであるが、第二の流出孔９２ｂの数は、第一の流出孔９１ｂの数と異なっていてもよい。
【００８５】
図３、図４及び図８に示すように、光源部１０を覆うように外装７３が設けられている。具体的には、外装７３は、全ての光源部１０を隠すように複数の光源部１０の全体を覆っている。これにより、外装７３は、複数の光源部１０で覆われる筐体７１全体も覆っている。つまり、光源部１０は、外装７３と筐体７１との間に配置されている。
【００８６】
図３に示すように、外装７３は、略球形の外形を有する。具体的には、外装７３は、サッカーボールの外形と同様に、略三十二面体の外形を有する。つまり、外装７３の外面は、２０個の正六角形の曲面と、１２個の正五角形の曲面とによって構成されている。
【００８７】
外装７３には、光源部１０から出射した光を透過させるために複数の透光部７３ａが設けられている。複数の透光部７３ａは、複数の発光素子１１と一対一に対応しており、各透光部７３ａは、各発光素子１１の上に配置されている。具体的には、複数の透光部７３ａは、正六角形の面においては、正六角形の角部の各々に実装されており、正五角形の面においては、正五角形の各辺の中央部に実装されている。また、各透光部７３ａは、対応する発光素子１１の光軸と一致するように設けられている。
【００８８】
透光部７３ａは、透明樹脂等の透光性を有する樹脂材料又は透明なガラス材料によって構成された透光部材によって構成されており、外装７３に設けられた貫通孔に嵌め込まれている。本実施の形態において、透光部７３ａ及び貫通孔の上面視形状は、円形である。なお、透光部７３ａは、透光部７３ａを透過する発光素子１１の光の配光を制御するレンズ等であってもよい。一例として、透光部７３ａは、透光部７３ａを透過する発光素子１１の光を拡散させる拡散レンズである。
【００８９】
また、外装７３には、第三の流入孔９３ａと、第三の流出孔９３ｂとが設けられている。第三の流入孔９３ａは、筐体７１に設けられた第一の流入孔９１ａと同様に、照明装置１の外部の気体を筐体７１の内部空間７１ａに流入させるための通気孔である。また、第三の流出孔９３ｂは、筐体７１に設けられた第一の流出孔９１ｂと同様に、筐体７１の内部空間７１ａから気体を流出させるための通気孔である。
【００９０】
第三の流入孔９３ａ及び第三の流出孔９３ｂの各々は、例えば開口を有する貫通孔である。本実施の形態において、第三の流入孔９３ａ及び第三の流出孔９３ｂの開口形状は、Ｖ字状のスリットを６つ組み合わせた形状であるが、これに限らない。また、第三の流入孔９３ａの開口形状と第三の流出孔９３ｂの開口形状とは同じであるが、異なっていてもよい。
【００９１】
図８に示すように、第三の流入孔９３ａは、筐体７１に設けられた第一の流入孔９１ａに対応する位置に存在している。第三の流入孔９３ａの貫通方向から見たときに、第一の流入孔９１ａと第三の流入孔９３ａとは、少なくとも一部が重なっている。本実施の形態において、第三の流入孔９３ａは、光源部１０に設けられた第二の流入孔９２ａにも重なっている。したがって、第三の流入孔９３ａ、第二の流入孔９２ａ及び第一の流入孔９１ａは、外装７３の厚み方向に重なって設けられている。
【００９２】
また、第三の流出孔９３ｂは、筐体７１に設けられた第一の流出孔９１ｂに対応する位置に存在している。第三の流出孔９３ｂの貫通方向から見たときに、第一の流出孔９１ｂと第三の流出孔９３ｂとは、少なくとも一部が重なっている。本実施の形態において、第三の流出孔９３ｂは、光源部１０に設けられた第二の流出孔９２ｂにも重なっている。したがって、第三の流出孔９３ｂ、第二の流出孔９２ｂ及び第一の流出孔９１ｂは、外装７３の厚み方向に重なって設けられている。
【００９３】
具体的には、図３に示すように、第三の流入孔９３ａ及び第三の流出孔９３ｂの各々は、外装７３の六角形の曲面の中央部に設けられており、六角形の曲面において、複数の透光部７３ａは、第三の流入孔９３ａ又は第三の流出孔９３ｂを囲むように配置されている。
【００９４】
図８に示すように、外装７３で覆われた筐体７１の内部空間７１ａには、制御部２０及びファン３０が配置されている。
【００９５】
制御部２０は、回路基板２１と、回路基板２１に実装された複数の回路素子２２とを有する制御回路（制御ユニット）である。上述のとおり、制御部２０は、複数の光源部１０を制御する機能を有する。具体的には、制御部２０は、照明装置１における全ての発光素子１１の発光態様（点消灯、明るさ、光色等）を個別に制御する。
【００９６】
このため、本実施の形態における照明装置１は、ベースライト又はＬＥＤ電球等の空間演出を主目的としない一般な照明装置とは異なり、回路素子２２として、複雑な制御用の電子部品を用いる必要がある。これにより、制御部２０の発熱量大きくなるとともに、筐体７１の内部空間７１ａを大きくする必要がある。また、本実施の形態では、内部空間７１ａにはファン３０も配置されているので、さらに内部空間７１ａを大きくしておく必要がある。したがって、筐体７１の外径は、例えば１０ｃｍ以上であることが望ましい。
【００９７】
一方、本実施の形態における照明装置１は、画像を表示するディスプレイとは異なり、高精細な情報を表示する必要がない。このため、制御用の電子部品としては、ディスプレイで用いられる制御用の電子部品よりも小型のものを用いることができる。したがって、筐体７１の外径は、例えば５０ｃｍ以下である。
【００９８】
内部空間７１ａに配置されたファン３０は、少なくとも１つ以上である。本実施の形態において、ファン３０は、内部空間７１ａに複数配置されている。
【００９９】
複数のファン３０は、筐体７１の第一の流入孔９１ａに対応する位置に配置された吸引ファン３０ａ（第一のファン）と、筐体７１の第一の流出孔９１ｂに対応する位置に配置された排気ファン３０ｂ（第二のファン）とを含む。具体的には、吸引ファン３０ａは、第一の流入孔９１ａに対向する位置に配置され、排気ファン３０ｂは、第一の流出孔９１ｂに対向する位置に配置されている。本実施の形態において、吸引ファン３０ａ及び排気ファン３０ｂは、いずれも軸流ファンであるが、これに限らない。
【０１００】
吸引ファン３０ａは、照明装置１の外部の空気（外気）を筐体７１の内部空間７１ａに強制的に流入させるための流入用のファンである。吸引ファン３０ａを駆動させることで、例えば、照明装置１の外部の外気を、第三の流入孔９３ａ、第二の流入孔９２ａ及び第一の流入孔９１ａを経由させて、筐体７１の内部空間７１ａに取り込むことができる。
【０１０１】
排気ファン３０ｂは、筐体７１の内部空間７１ａ内の気体を筐体７１の外部に強制的に流出させるための流出用のファンである。排気ファン３０ｂを駆動させることで、例えば、筐体７１の内部空間７１ａの気体（熱気等）を、第一の流出孔９１ｂ、第二の流出孔９２ｂ及び第三の流出孔９３ｂを経由させて、照明装置１の外部に排気することができる。
【０１０２】
このように、吸引ファン３０ａ及び排気ファン３０ｂを駆動させることによって、筐体７１の内部空間７１ａに外気を吸引して、この吸引した外気によって筐体７１の内部空間７１ａを空冷し、内部空間７１ａの熱気を筐体７１の外部に排気することができる。
【０１０３】
以上、本実施の形態に係る照明装置１によれば、筐体７１には、複数の光源部１０を制御する制御部２０が配置される内部空間７１ａと、第一の流入孔９１ａと、第一の流出孔９１ｂとが設けられており、複数の光源部１０は、第一の流入孔９１ａに対応する位置に存在する第二の流入孔９２ａが設けられた第一の光源部１０Ｘと、第一の流出孔９１ｂに対応する位置に存在する第二の流出孔９２ｂが設けられた第二の光源部１０Ｙとを含む。
【０１０４】
この構成により、筐体７１の内部空間７１ａに外気を取り込んで内部空間７１ａを空冷し、内部空間７１ａの熱気を筐体７１の外部に排気することができる。これにより、内部空間７１ａに取り込んだ外気によって内部空間７１ａに配置された制御部２０を冷却することができる。したがって、制御部２０で発生する熱を効果的に放熱することができるので、制御部２０が熱によって誤作動したり故障したりする等して制御部２０に不具合が生じることを抑制できる。
【０１０５】
しかも、光源部１０に第二の流入孔９２ａを設けることで、光源部１０も冷却することができる。つまり、光源部１０の第二の流入孔９２ａに外気が通過することで光源部１０を冷却することができる。これにより、光源部１０で発生する熱を効果的に放熱することができるので、熱によって光源部１０の光出力が低下することを抑制することもできる。
【０１０６】
また、図示されていないが、本実施の形態では、筐体７１の内部空間７１ａには電源６０も配置されている。したがって、上記構成により、電源６０も冷却することができる。したがって、電源６０で発生する熱も効果的に放熱することができ、電源６０が熱によって故障したり劣化したりする等して電源６０に不具合が生じることも抑制できる。
【０１０７】
特に、制御部２０と電源６０とが同じ空間領域に閉じ込められていると、互いが発生する熱の煽りを受けて制御部２０及び電源６０に不具合が生じやすくなるが、上記構成により、制御部２０及び電源６０が互いの熱の煽りを受けることを抑制できる。したがって、制御部２０及び電源６０を同じ内部空間７１ａに配置したとしても、制御部２０及び電源６０に不具合が生じることを効果的に抑制することができる。
【０１０８】
また、本実施の形態における照明装置１において、筐体７１と複数の光源部１０とは、一定の間隔をあけて配置されている。本実施の形態では、筐体７１と各光源部１０との間に突起１００を配置することで、筐体７１と各光源部１０との間が一定の間隔で保たれている。つまり、突起１００が筐体７１と各光源部１０との間のスペーサとして機能している。
【０１０９】
この構成により、各光源部１０と筐体７１との間には、空気層となる隙間Ｇが形成される。これにより、各光源部１０と筐体７１との間の隙間Ｇを熱分離層として機能するので、光源部１０で発生する熱と制御部２０で発生する熱とを分離することができる。したがって、光源部１０及び制御部２０が互いの熱の煽りを受けることを抑制できるので、光源部１０で発生する熱と制御部２０で発生する熱とを効果的に放熱することができる。
【０１１０】
また、本実施の形態における照明装置１では、筐体７１の内部空間７１ａには、少なくとも１つ以上のファン３０が配置されている。
【０１１１】
この構成により、ファン３０によって筐体７１の内部空間７１ａを強制空冷することができる。つまり、筐体７１の内部空間７１ａに外気を効率良く取り込むとともに内部空間７１ａの熱気を効率良く排気することができる。これにより、制御部２０を効果的に冷却することができる。したがって、制御部２０が熱によって誤作動したり故障したりする等して制御部２０に不具合が生じることを一層抑制できる。
【０１１２】
さらに、ファン３０による強制空冷によって、光源部１０も冷却することができる。これにより、光源部１０で発生する熱を一層効果的に放熱することができるので、熱によって光源部１０の光出力が低下することを一層抑制することもできる。さらに、電源６０で発生する熱も一層効果的に放熱することができる。
【０１１３】
また、本実施の形態における照明装置１において、ファン３０は、第一の流入孔９１ａ及び第一の流出孔９１ｂの少なくともいずれか一つに対応する位置に配置されている。
【０１１４】
この構成により、ファン３０によって、第一の流入孔９１ａを介して筐体７１の内部空間７１ａに外気を効率良く取り込んだり、第一の流出孔９１ｂを介して内部空間７１ａの熱気を効率良く排気したりすることができる。
【０１１５】
また、本実施の形態における照明装置１において、複数のファン３０が配置されており、複数のファン３０は、第一の流入孔９１ａに対応する位置に配置された吸引ファン３０ａと、第一の流出孔９１ｂに対応する位置に配置された排気ファン３０ｂとを含んでいる。
【０１１６】
この構成により、吸引ファン３０ａによって外気を筐体７１の内部空間７１ａに効率良く取り込むとともに、排気ファン３０ｂによって内部空間７１ａの熱気を効率良く排気することができる。したがって、制御部２０で発生する熱を一層効果的に放熱することができる。また、光源部１０及び電源６０で発生する熱についても一層効果的に放熱することができる。
【０１１７】
また、本実施の形態における照明装置１において、第一の光源部１０Ｘに設けられた第二の流入孔９２ａの貫通方向から見たときに、筐体７１の第一の流入孔９１ａと第二の流入孔９２ａとは、少なくとも一部が重なっている。
【０１１８】
この構成により、第一の流入孔９１ａと第二の流入孔９２ａとが筐体７１の厚み方向に連通するので、筐体７１の内部空間７１ａに外気を一層効率良く取り込むことができる。したがって、制御部２０、光源部１０及び電源６０で発生する熱を一層効果的に放熱することができる。
【０１１９】
また、本実施の形態における照明装置１において、第二の光源部１０Ｙに設けられた第二の流出孔９２ｂの貫通方向から見たときに、筐体７１の第一の流出孔９１ｂと第二の流出孔９２ｂとは、少なくとも一部が重なっている。
【０１２０】
この構成により、第一の流出孔９１ｂと第二の流出孔９２ｂとが筐体７１の厚み方向に連通するので、内部空間７１ａの熱気を一層効率良く排気することができる。したがって、制御部２０、光源部１０及び電源６０で発生する熱を一層効果的に放熱することができる。
【０１２１】
また、本実施の形態における照明装置１において、第一の光源部１０Ｘに設けられた第二の流入孔９２ａは、第一の光源部１０Ｘの第一の基板１２Ｘに設けられており、第二の光源部１０Ｙに設けられた第二の流出孔９２ｂは、第二の光源部１０Ｙの第二の基板１２Ｙに設けられている。
【０１２２】
このように、第二の流入孔９２ａと第二の流出孔９２ｂとを異なる基板１２に設けることで、外気を筐体７１の内部空間７１ａに効率良く取り込むとともに、内部空間７１ａの熱気を効率良く排気することができる。したがって、制御部２０で発生する熱を一層効果的に放熱することができる。
【０１２３】
（変形例）
以上、本発明について実施の形態に基づいて説明したが、本発明は、上記実施の形態に限定されるものではない。
【０１２４】
例えば、上記実施の形態では、筐体７１の第一の流入孔９１ａと第一の光源部１０Ｘの第二の流入孔９２ａとは、少なくとも一部が重なるように配置されていたが、これに限らない。具体的には、図９に示される照明装置１Ａのように、第一の光源部１０Ｘの第二の流入孔９２ａの貫通方向から見たときに、筐体７１の第一の流入孔９１ａと第二の流入孔９２ａとは、互いに重ならない位置に配置されていてもよい。この場合、第三の光源部１０Ｚの第三の基板１２Ｚは、筐体７１の第一の流入孔９１ａに対向しているとよい。これにより、第三の基板１２Ｚと筐体７１の外面との間の隙間Ｇが通気路となるので、この通気路に、外装７３の第三の流入孔９３ａ及び第一の基板１２Ｘの第二の流入孔９２ａから流入した外気が流れることになる。この結果、第三の基板１２Ｚを裏側から冷却することができる。したがって、第三の基板１２Ｚを有する第三の光源部１０Ｚで発生する熱を効率良く放熱させることができる。なお、本変形例において、第三の基板１２Ｚは、第一の流入孔９１ａだけではなく、第一の流出孔９１ｂに対向していてもよいし、第一の流入孔９１ａには対向せずに、第一の流出孔９１ｂのみに対向していてもよい。つまり、第三の基板１２Ｚは、第一の流入孔９１ａ及び第一の流出孔９１ｂの少なくとも一方に対向しているとよい。
【０１２５】
また、図示しないが、筐体７１の第一の流入孔９１ａと第二の流入孔９２ａとが互いに重ならない位置に配置されていないことに加えて、あるいは、このことに代えて、第二の光源部１０Ｙの第二の流出孔９２ｂの貫通方向から見たときに、筐体７１の第一の流出孔９１ｂと第二の流出孔９２ｂとが、互いに重ならない位置に配置されていてもよい。この場合も、第三の光源部１０Ｚの第三の基板１２Ｚは、筐体７１の第一の流入孔９１ａ及び第一の流出孔９１ｂの少なくとも一方に対向しているとよい。
【０１２６】
また、上記実施の形態において、照明装置１は、天井に取り付ける取付部材として配線管８０を有していたが、これに限らない。例えば、図１０に示される照明装置１０Ｂのように、外装７３の頂部に、配線管８０の代わりに、口金８０Ｂが設けられていてもよい。口金８０Ｂは、例えば、金属製の有底筒形状であって、外周面が螺合部となっているシェル部と、シェル部に絶縁部を介して装着されたアイレット部とを有する。口金８０Ｂの種類は、特に限定されるものではないが、図１０では、ねじ込み式のエジソンタイプ（Ｅ型）の口金を用いている。具体的には、口金８０Ｂとして、Ｅ２６形、Ｅ１７形又はＥ１６形等が挙げられる。なお、口金８０Ｂは、エジソンタイプではなく、スワンタイプ（差し込み式）であってもよい。
【０１２７】
また、上記実施の形態における照明装置１では、ファン３０として、吸引ファン３０ａ及び排気ファン３０ｂの両方を用いたが、これに限らない。例えば、ファン３０として、吸引ファン３０ａ及び排気ファン３０ｂの一方のみを用いてもよい。
【０１２８】
また、上記実施の形態における照明装置１では、ファン３０を用いたが、ファン３０は、用いなくてもよい。つまり、照明装置１は、ファンレスの照明器具であってもよい。この場合、自然対流によって筐体７１の内部空間７１ａに外気を取り込んで内部空間７１ａの熱気を排気することができる。つまり、筐体７１の内部空間７１ａを自然空冷させて、制御部２０及び電源６０で発生する熱を放熱させることができる。また、自然空冷によって光源部１０で発生する熱を放熱させることもできる。この場合、各流入孔（第一の流入孔９１ａ、第二の流入孔９２ａ、第三の流入孔９３ａ）と各流出孔（第一の流出孔９１ｂ、第二の流出孔９２ｂ、第三の流出孔９３ｂ）とは、区別する必要がなく、流入孔が流出孔となってもよいし、流出孔が流出孔となってもよい。つまり、複数の流出孔と複数の流入孔とは、いずれも流入用及び流出用の通気孔としてなりうる。なお、このことは、上記実施の形態における照明装置１にも適用することができる。
【０１２９】
また、上記実施の形態における照明装置１は、電源一体型の照明器具であり、筐体７１の内部空間７１ａに電源６０が配置されていたが、これに限らない。具体的には、照明装置１は、電源６０が外装７３の外部に設置された電源別置型の照明器具であってもよい。
【０１３０】
また、上記実施の形態では、照明装置１は、天井に設置される場合を例示したが、これに限らない。照明装置１は、壁面等の他の造営材に設置されてもよいし、床に置かれてもよい。
【０１３１】
また、上記実施の形態において、照明装置１の外形は、略球体又は多面体としたが、これに限らない。例えば、各発光素子１１が照明装置の中心から放射状に伸びる方向に光を発するように配置されていれば、照明装置の外形は、任意の形状を採用することができる。
【０１３２】
また、上記実施の形態において、照明装置１は、複数の発光素子１１により３６０°の全方位に光を照射できるように構成されていたが、一部の方向に光を照射することが困難、不可能又は不要であってもよい。例えば、照明装置１は、照明装置１を設置するためのケーブル又はソケットが存在する方向には光を照射することが困難、不可能又は不要であり、この方向に光を照射しなくてもよい。また、その他の理由により、照明装置が一部の方向に光を照射しなくてもよい。この場合でも、上記実施の形態では、照明装置は、３６０°の全方位に光を照射することができると称してもよい。
【０１３３】
また、上記実施の形態において、制御端末２が備えるユーザインタフェース１２０と同様のユーザインタフェース（例えば操作部、表示部）を、照明装置１自身が備えていてもよい。例えば、照明装置１が、照射領域を切り替えるための切替ボタン等を有していてもよい。また、制御端末２が備える他の一部の機能を、照明装置１が備えていてもよい。
【０１３４】
その他に、上記実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【０１３５】
また、上記実施の形態において、筐体７１と複数の光源部１０とは一定の間隔をあけて配置されていたが、これに限らない。つまり、上記実施の形態では、筐体７１の表面と各光源部１０の基板１２とが接触しないように構成されていたが、これに限らない。例えば、筐体７１の一部と複数の光源部１０とが接触していてもよい。この場合、筐体７１に突起１００を設けずに、各光源部１０が筐体７１の表面に載置されていてもよい。つまり、光源部１０と筐体７１との間に隙間Ｇが存在せずに、光源部１０の基板１２が筐体７１の表面に接触していてもよい。
【０１３６】
また、上記の説明において、制御部２０及び１３０等は、回路であってもよい。これらの回路は、全体として１つの回路を構成してもよいし、それぞれ別々の回路でもよい。また、これらの回路は、それぞれ、汎用的な回路でもよいし、専用の回路でもよい。
【０１３７】
また、制御部２０及び１３０等の動作として説明した処理は、コンピュータが実行してもよい。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。なお、プロセッサは、１つの半導体チップで構成してもよいし、物理的に複数の半導体チップで構成してもよい。プロセッサを複数の半導体チップで構成する場合、各実施の形態の各制御をそれぞれ別の半導体チップで実現してもよい。
【０１３８】
また、上記の各処理を実行するためのプログラムが、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。例えば、上記照明システムにおける方法をコンピュータに実行させるプログラムとして実現したり、そのようなプログラムを記録したコンピュータ読み取り可能な記録媒体として実現したりすることもできる。
【０１３９】
なお、本発明は、コンピュータを上記照明システムとして機能させるためのプログラムとして実現したり、そのプログラムを格納したコンピュータ読み取り可能な記録媒体として実現したりすることもできる。
【符号の説明】
【０１４０】
１、１Ａ  照明装置
２  制御端末
３  照明システム
１０  光源部
１０Ｘ  第一の光源部
１０Ｙ  第二の光源部
１０Ｚ  第三の光源部
１１  発光素子
１１Ｘ  第一の発光素子
１１Ｙ  第二の発光素子
１１Ｚ  第三の発光素子
１２  基板
１２Ｘ  第一の基板
１２Ｙ  第二の基板
１２Ｚ  第三の基板
２０  制御部
３０  ファン
３０ａ  吸引ファン
３０ｂ  排気ファン
６０  電源
７１  筐体
７１ａ  内部空間
７３  外装
７３ａ  透光部
９１ａ  第一の流入孔
９１ｂ  第一の流出孔
９２ａ  第二の流入孔
９２ｂ  第二の流出孔
【図１】
2020145052.tif 000003
【図２】
2020145052.tif 000004
【図３】
2020145052.tif 000005
【図４】
2020145052.tif 000006
【図５】
2020145052.tif 000007
【図６】
2020145052.tif 000008
【図７】
2020145052.tif 000009
【図８】
2020145052.tif 000010
【図９】
2020145052.tif 000011
【図１０】
2020145052.tif 000012
【国際調査報告】
2020145052.tif 000013
2020145052.tif 000014
2020145052.tif 000015
2020145052.tif 000016
2020145052.tif 000017
2020145052.tif 000018